(57)【要約】【課題】棚の支持強度を高くした棚受部を備え、潜熱蓄熱材を用いた蓄熱容器を提供する。【解決手段】箱型の外壁３と、外壁３の内方にある箱型の庫内壁９と、外壁３と庫内壁９との間の領域の庫内壁９側に配置され、所定の温度で固相から液相へ可逆的に相転移する潜熱蓄熱材７と、庫内壁９内方であって貯蔵物を貯蔵する貯蔵室１０と、貯蔵室１０内で貯蔵物を載置する棚２１を支持するために庫内壁９の一部を貯蔵室１０内に突出させた棚受部１１と、外壁３と庫内壁９との間の領域の棚受部１１の庫内壁９側に配置され、液相に相転移した潜熱蓄熱材７より高い支持強度で棚２１を支持する支持部材１２とを有する。【選択図】図１
2012229867.tif 000002
【特許請求の範囲】
【請求項１】
箱型の外壁と、
前記外壁の内方にある箱型の庫内壁と、
前記外壁と前記庫内壁との間の領域の前記庫内壁側に配置され、所定の温度で固相から液相へ可逆的に相転移する潜熱蓄熱材と、
前記庫内壁内方であって貯蔵物を貯蔵する貯蔵室と、
前記貯蔵室内で前記貯蔵物を載置する棚を支持するために前記庫内壁の一部を前記貯蔵室内に突出させた棚受部と、
前記外壁と前記庫内壁との間の領域の前記棚受部の前記庫内壁側に配置され、前記液相に相転移した前記潜熱蓄熱材より高い支持強度で前記棚を支持する支持部材と
を有することを特徴とする蓄熱容器。
【請求項２】
請求項１記載の蓄熱容器であって、
前記外壁と前記庫内壁との間に充填された断熱材をさらに有すること
を特徴とする蓄熱容器。
【請求項３】
請求項２記載の蓄熱容器であって、
前記支持部材は、前記断熱材と同一材料で形成されていること
を特徴とする蓄熱容器。
【請求項４】
請求項１または２に記載の蓄熱容器であって、
前記支持部材は、熱または光で硬化する硬化性樹脂であること
を特徴とする蓄熱容器。
【請求項５】
請求項１から４のいずれか一項に記載の蓄熱容器であって、
前記支持部材に機械的強度を高める材料が含有されていること
を特徴とする蓄熱容器。
【請求項６】
請求項１または２に記載の蓄熱容器であって、
前記支持部材は、前記潜熱蓄熱材に機械的強度を高める材料を含有したものであること
を特徴とする蓄熱容器。
【請求項７】
請求項１から６のいずれか一項に記載の蓄熱容器であって、
前記潜熱蓄熱材はゲル化剤を含んでいること
を特徴とする蓄熱容器。
【請求項８】
請求項１から７のいずれか一項に記載の蓄熱容器であって、
前記潜熱蓄熱材はパラフィンを含んでいること
を特徴とする蓄熱容器。
【請求項９】
請求項１から８のいずれか一項に記載の蓄熱容器であって、
前記潜熱蓄熱材は、定常運転において前記貯蔵室内で制御可能な温度と、前記貯蔵室の周囲の雰囲気の温度との間の温度で固相から液相へ可逆的に相転移すること
を特徴とする蓄熱容器。
【請求項１０】
請求項１から９のいずれか一項に記載の蓄熱容器であって、
前記貯蔵室に熱交換器が配置されていること
を特徴とする蓄熱容器。
【請求項１１】
請求項１０記載の蓄熱容器であって、
前記熱交換器は冷却器であること
を特徴とする蓄熱容器。
【請求項１２】
請求項１から１１のいずれか一項に記載の蓄熱容器を有することを特徴とする冷蔵庫。
【請求項１３】
請求項１２記載の冷蔵庫であって、
前記貯蔵室の上側に設けられた支持部材の支持強度は、前記貯蔵室の下側に設けられた支持部材の支持強度より高いこと
を特徴とする冷蔵庫。
【発明の詳細な説明】
【技術分野】
【０００１】
本発明は、潜熱蓄熱材を用いた蓄熱容器に関する。
【背景技術】
【０００２】
特許文献１には蓄熱容器として、箱内壁面の全体もしくは一部に潜熱蓄冷材を備え、断熱材と潜熱蓄冷材との二層構造である蓄冷型保冷庫が開示されている。特許文献２には蓄熱容器として、内壁と外壁との間に断熱材と相転移物質が充填された冷蔵庫が開示されている。
【先行技術文献】
【特許文献】
【０００３】
【特許文献１】特開昭５８−２１９３７９号公報
【特許文献２】特開平７−４８０７号公報
【発明の概要】
【発明が解決しようとする課題】
【０００４】
このような冷蔵庫には庫内に貯蔵物を載置する棚が配置されている。棚は庫内の内壁から突出する棚受部に支持されている。棚には種々の貯蔵物を載置しても撓まない強度が要求される。さらに、棚受部には貯蔵物を載置した棚を確実に支持する強度が要求される。しかしながら、引用文献１及び２のいずれも棚受部の強度について記載していない。一般に冷蔵庫の内壁は樹脂材料を薄い厚さに成型した樹脂成型品を用いている。このため、貯蔵物を載置した棚を支持する棚受部を内壁だけでは作製できないという問題がある。引用文献１または２に記載された冷蔵庫では、内壁近傍に配置された潜熱蓄熱材を棚受部内に充填して強度補強に用いることが考えられるが、潜熱蓄熱材が相転移により液化すると所望の強度が得られなくなるという問題が生じる。
【０００５】
本発明の目的は、棚の支持強度を高くした棚受部を備え、潜熱蓄熱材を用いた蓄熱容器を提供することにある。
【課題を解決するための手段】
【０００６】
上記目的は、箱型の外壁と、前記外壁の内方にある箱型の庫内壁と、前記外壁と前記庫内壁との間の領域の前記庫内壁側に配置され、所定の温度で固相から液相へ可逆的に相転移する潜熱蓄熱材と、前記庫内壁内方であって貯蔵物を貯蔵する貯蔵室と、前記貯蔵室内で前記貯蔵物を載置する棚を支持するために前記庫内壁の一部を前記貯蔵室内に突出させた棚受部と、前記外壁と前記庫内壁との間の領域の前記棚受部の前記庫内壁側に配置され、前記液相に相転移した前記潜熱蓄熱材より高い支持強度で前記棚を支持する支持部材とを有することを特徴とする蓄熱容器によって達成される。
【０００７】
上記本発明の蓄熱容器であって、前記外壁と前記庫内壁との間に充填された断熱材をさらに有することを特徴とする。
【０００８】
上記本発明の蓄熱容器であって、前記支持部材は、前記断熱材と同一材料で形成されていることを特徴とする。
【０００９】
上記本発明の蓄熱容器であって、前記支持部材は、熱または光で硬化する硬化性樹脂であることを特徴とする。
【００１０】
上記本発明の蓄熱容器であって、前記支持部材に機械的強度を高める材料が含有されていることを特徴とする。
【００１１】
上記本発明の蓄熱容器であって、前記支持部材は、前記潜熱蓄熱材に機械的強度を高める材料を含有したものであることを特徴とする。
【００１２】
上記本発明の蓄熱容器であって、前記潜熱蓄熱材はゲル化剤を含んでいることを特徴とする。
【００１３】
上記本発明の蓄熱容器であって、前記潜熱蓄熱材はパラフィンを含んでいることを特徴とする。
【００１４】
上記本発明の蓄熱容器であって、前記潜熱蓄熱材は、定常運転において前記貯蔵室内で制御可能な温度と、前記貯蔵室の周囲の雰囲気の温度との間の温度で固相から液相へ可逆的に相転移することを特徴とする。
【００１５】
上記本発明の蓄熱容器であって、前記貯蔵室に熱交換器が配置されていることを特徴とする。
【００１６】
上記本発明の蓄熱容器であって、前記熱交換器は冷却器であることを特徴とする。
【００１７】
上記本発明の蓄熱容器を有する冷蔵庫であって、前記貯蔵室の上側に設けられた支持部材の支持強度は、前記貯蔵室の下側に設けられた支持部材の支持強度より高いことを特徴とする。
【発明の効果】
【００１８】
本発明によれば、蓄熱容器の棚受部の棚を支持する強度を高くできる。
【図面の簡単な説明】
【００１９】
【図１】本発明の第１の実施の形態による蓄熱容器としての冷蔵庫１の断面図である。
【図２】本発明の第１の実施の形態による棚受部１１ａ近傍の断面図である。
【図３】比較例に係る棚受部１１ａ近傍の断面図である。
【図４】本発明の第２の実施の形態による棚受部１１ａ近傍の断面図である。
【図５】本発明の第３の実施の形態による棚受部１１ａ近傍の断面図である。
【図６】本発明の第４の実施の形態による棚受部１１ａ近傍の断面図である。
【図７】本発明の第５の実施の形態による棚受部１１ａ近傍の断面図である。
【図８】本発明の第６の実施の形態による冷蔵庫１の断面図である。
【発明を実施するための形態】
【００２０】
［第１の実施の形態］
本発明の第１の実施の形態による蓄熱容器について図１及び図２を用いて説明する。なお、以下の全ての図面においては、理解を容易にするため、各構成要素の寸法や比率などは適宜異ならせて図示されている。図１は、本実施の形態による蓄熱容器として直冷式の冷蔵庫１の断面を示している。冷蔵庫１は設置状態で鉛直方向に高いほぼ直方体の外形を有している。直方体の一側面には開口部が設けられており、開口部の内側の空間が冷蔵室になっている。開口部には開閉可能な扉（不図示）が設けられている。図１では、設置状態の冷蔵庫１を開口部の設けられた一側面に平行な平面で切った断面を開口部側から見た状態を示している。
【００２１】
冷蔵庫１は、一側面が開口した鋼板製の箱型の外壁３を有している。外壁３の一側面から外壁３の内方に、ＡＢＳ樹脂等で射出成型により成型した箱型の庫内壁９が嵌め込まれて固定されている。
【００２２】
冷蔵庫１の庫内壁９内方は貯蔵物を貯蔵する貯蔵室としての冷蔵室１０となっている。冷蔵室１０内の上部には熱交換器として冷却器１９が配置されている。
【００２３】
外壁３と庫内壁９との間の領域の庫内壁９側には潜熱蓄熱材７が配置されている。潜熱蓄熱材７の配置状態については後程詳説する。
【００２４】
外壁３と庫内壁９との間の残余の領域には断熱材５が配置されている。断熱材５は、所定温度に冷却されている冷蔵室１０に冷蔵庫１の外部から熱が伝わらないように断熱するために配置されている。断熱材５は、繊維系断熱材（グラスウール等）、発泡樹脂系断熱材等の形成材料を用いて形成される。本実施の形態では断熱材５として発泡ウレタンが外壁３と庫内壁９との間の残余の領域に充填されている。
【００２５】
庫内壁９の左右の側面部には、水平対向位置に一対の棚受部１１が設けられている。冷蔵室１０上段には一対の棚受部１１ａ、１１ａ´が設けられている。冷蔵室１０中段には一対の棚受部１１ｂ、１１ｂ´が設けられている。冷蔵室１０下段には一対の棚受部１１ｃ、１１ｃ´が設けられている。各棚受部１１にはそれぞれ棚２１の端部が載せられている。
【００２６】
図２は、図１に示す冷蔵室１０上段の左側面部の棚受部１１ａの近傍の断面を拡大して示している。棚受部１１ａは、冷蔵室１０内で貯蔵物を載置する棚２１を支持するために庫内壁９の一部を冷蔵室１０内に突出させて形成されている。庫内壁９は棚受部１１ａの上下でほぼ鉛直方向に一直線に延びる直線状断面を有している。図２に示す棚受部１１ａでは、鉛直上方から下延してきた庫内壁９が所定半径の１／４円弧状に右方に曲げられた後、所定距離だけ水平方向に延びている。続いて庫内壁９は、所定半径の１／４円弧状に下方に曲げられて所定距離だけ鉛直方向に延びている。続いて庫内壁９は、左斜め下方に直線的に延びて鉛直下方から上延してきた庫内壁９に接続されている。
【００２７】
棚受部１１ａでの庫内壁９の断面形状は上部の一部領域が水平に冷蔵室１０内に突出し、突出先端部より根元部の幅が広い片持ち梁状になっている。また、棚受部１１ａは図１及び図２の紙面の奥行方向に延びている。このような形状をしているので、棚受部１１ａが十分な支持強度を有する場合は、棚２１の左側端辺を棚受部１１ａの庫内壁９の水平領域に載せて棚２１を支持することができる。図示は省略したが、冷蔵室１０上段の右側面部の棚受部１１ａ´での庫内壁９の断面形状は上部の一部領域が水平に冷蔵室１０内に突出し、突出先端部より根元部の幅が広い片持ち梁状になっている。また、棚受部１１ａ´は図１及び図２の紙面の奥行方向に延びている。棚受部１１ａでの庫内壁９の断面形状と棚受部１１ａ´での庫内壁９の断面形状とは線対称になっている。このような形状をしているので、棚受部１１ａ´が十分な支持強度を有する場合は、棚２１の右側端辺を棚受部１１ａ´の庫内壁９の水平領域に載せて棚２１を支持することができる。
【００２８】
図１に示す冷蔵室１０中段の左側面部の棚受部１１ｂ、右側面部の棚受部１１ｂ´の形状、構成も棚受部１１ａ、１１ａ´と同様なので説明は省略する。また、冷蔵室１０下段の左側面部の棚受部１１ｃ、右側面部の棚受部１１ｃ´の形状、構成も棚受部１１ａ、１１ａ´と同様なので説明は省略する。
【００２９】
棚受部１１ａの根元部、すなわち、鉛直上方から下延してきた庫内壁９が１／４円弧状に右方に曲げられる辺りと、先端部から左斜め下方に直線的に延びて鉛直下方から上延してきた庫内壁９に接続される辺りとの間の図中破線の楕円で示す領域αには、潜熱蓄熱材７が配置されていない。さらに、領域αの両側の外壁３と庫内壁９との間にも潜熱蓄熱材７が配置されていない。同様に他の棚受部１１ｂ、１１ｃ、１１ａ´、１１ｂ´、１１ｃ´の根元部（領域α）を含む外壁３と庫内壁９との間にも潜熱蓄熱材７が配置されていない。一方、棚受部１１ａ、１１ｂ、１１ｃ、１１ａ´、１１ｂ´、１１ｃ´の根元部と外壁３との間以外の庫内壁９には所定厚さで潜熱蓄熱材７が貼り付けられている。図１に示すように潜熱蓄熱材７は全体的には庫内壁９の周囲全体に配置されている。
【００３０】
蓄熱とは、熱を一時的に蓄え、必要に応じてその熱を取り出す技術をいう。蓄熱方式としては、顕熱蓄熱、潜熱蓄熱、化学蓄熱等があるが、本実施形態では、潜熱蓄熱を利用する。潜熱蓄熱は、物質の潜熱を利用して、物質の相転移の熱エネルギーを蓄える。蓄熱密度が高く、出力温度が一定である。潜熱蓄熱材７としては、氷（水）、パラフィン、無機塩などが用いられる。なお、潜熱蓄熱材は、ＡＢＳやポリカーボネート等、樹脂製のフィルムまたは薄い板で囲まれて形成されてもよい。
【００３１】
本実施形態の潜熱蓄熱材７は、パラフィンを含んでいる。パラフィンとは、一般式ＣｎＨ２ｎ＋２で表される飽和鎖式炭化水素の総称をいう。本実施形態では潜熱蓄熱材７の固相から液相へ可逆的に相転移する相転移温度は、４℃から６℃程度が望ましい。
【００３２】
また、潜熱蓄熱材７は、パラフィンをゲル化（固化）するゲル化剤を含んでいる。ゲルとは、分子が架橋されることで三次元的な網目構造を形成し、その内部に溶媒を吸収し膨潤したものをいう。ゲル化剤はパラフィンに数重量％含有させるだけでゲル化の効果を生じる。
【００３３】
外壁３と潜熱蓄熱材７の間は断熱材５が充填されている。断熱材５により外壁３と潜熱蓄熱材７の間は密着されている。棚受部１１ａの内方及び、棚受部１１ａの根元部と外壁３との間に潜熱蓄熱材７が配置されていないので、断熱材５の充填時に棚受部１１ａ内方まで断熱材５が充填される。棚受部１１ａ内方にまで充填された断熱材５の発泡ウレタンは、棚受部１１ａの片持ち梁形状において棚２１を支持するのに十分な強度を有している。
【００３４】
本実施形態の棚受部１１ａ内方に充填された断熱材５は、外壁３と庫内壁９との間の領域の棚受部１１ａの庫内壁９側に配置され、液相に相転移した潜熱蓄熱材７より高い支持強度で棚２１を支持する支持部材１２ａとして機能する。このように、本実施形態では支持部材１２ａは断熱材５と同一材料で形成されている。
【００３５】
同様に他の棚受部１１ｂ、１１ｃ、１１ａ´、１１ｂ´、１１ｃ´の内方に充填された断熱材５もそれぞれ支持部材１２ｂ、１２ｃ、１２ａ´、１２ｂ´、１２ｃ´として機能する。
【００３６】
図１に戻り、冷蔵室１０上部には熱交換器としての冷却器１９が配置されている。冷却器１９は冷媒を蒸発させる蒸発機構（不図示）を内部に挟んで対向配置された平板状部材を有している。冷却器１９の表面部材は冷蔵室１０内に露出している。
【００３７】
冷蔵庫１の内側には冷却器１９内の不図示の蒸発機構に冷媒を供給する配管（不図示）が配置されている。配管は冷蔵庫１の底部に配置されたコンプレッサ（不図示）に接続されている。これによりガス圧縮式の冷却装置が構成されている。なお、ガス圧縮式の冷却装置に代えて、ガス吸収式の冷却装置やペルチェ効果を用いた電子式の冷却装置を用いることも可能である。
【００３８】
次に、本実施の形態による冷蔵庫１の動作について説明する。冷蔵庫１の不図示の電源がオン状態において、コンプレッサで圧縮された冷媒は、配管内で凝縮され次いで膨張させられて冷却器１９に達する。冷却器１９は、膨張した冷媒が蒸発する際の気化熱により、冷蔵室１０内を冷却する。例えば冷蔵室１０の温度は約３℃になるように冷却することができる。
【００３９】
冷蔵室１０内に露出した冷却器１９と庫内の空気との間で熱交換が行われる。庫内の所定位置には不図示の温度センサが設置されている。温度センサで計測された庫内温度に基づき冷蔵庫１に設けられた不図示の温度制御装置により冷却装置の駆動が制御され、冷却器１９で庫内温度を制御するための熱移動が行われる。
【００４０】
庫内の空気に温度分布が生じると対流が生じて相対的に高温の空気は上昇し低温の空気は下降する。冷却器１９は庫内の内壁上部に配置されているので、効率よく相対的に高温の空気の熱を冷却器１９に移動させることができる。
【００４１】
冷蔵室１０の庫内壁９の外側に配置された潜熱蓄熱材７も庫内壁９を介して冷却されて相転移温度以下の固相状態に維持される。固相状態を維持した潜熱蓄熱材７は庫内の温度の時間変化分布を平坦化させる機能を奏する。
【００４２】
潜熱蓄熱材７は、定常運転において冷蔵室１０内で制御可能な温度と、貯蔵室１０の周囲の雰囲気の温度との間の温度で固相から液相へ可逆的に相転移する必要がある。本実施の形態では潜熱蓄熱材７を構成するパラフィンとして、ノルマル（直鎖型構造）テトラデカン（Ｃ１４Ｈ３０）を用いている。ノルマルテトラデカンの融点は、約５．９度である。
【００４３】
停電等により冷蔵庫１の不図示の電源がオフ状態になると、不図示の温度制御装置や冷却装置への電力供給が停止して、冷却装置による冷却能力は失われる。本実施の形態による冷蔵庫１は、停電等により冷却装置による冷却能力が失われると、潜熱蓄熱材７による保冷が開始される。冷蔵室１０内の空気は、庫内壁９の外側に貼り巡らされている潜熱蓄熱材７により一定期間、所定温度範囲に維持される。より具体的には、潜熱蓄熱材７が固相から液相へ相転移するまでの期間において、庫内温度が６℃程度に維持される。
【００４４】
庫内の空気に温度分布が生じると対流が生じて相対的に高温の空気は上昇し低温の空気は下降する。庫内壁９上部にも潜熱蓄熱材７が配置されている。このため、効率よく保冷効果を奏することができる。このように本実施の形態の冷蔵庫１によれば、停電等により冷蔵庫１の不図示の電源がオフ状態になってしまっても、庫内の温度を所定の低温度に一定期間維持することができる。
【００４５】
また、本実施形態によれば、停電等により冷蔵庫１の電源がオフ状態になり潜熱蓄熱材７による保冷効果が得られる一方、潜熱蓄熱材７は徐々に液相へ相転移して硬度が低下する。しかしながら、棚受部１１の支持部材１２には周囲温度に支持強度が影響を受けない断熱材５が用いられているため、冷蔵庫１の電源のオン状態オフ状態に係わらず確実に棚２１の支持を維持できる。本実施の形態によれば、棚受部１１の撓み強度や曲げ強度等の機械的強度を高くした、潜熱蓄熱材を用いた蓄熱容器を実現できる。なお、棚受部１１には潜熱蓄熱材７がないが、代わりに断熱材５があるので冷蔵室１０内の冷却装置による冷却効果が低下することはない。
【００４６】
次に、発泡ウレタンの注入工程について簡単に説明する。まず、外壁３の内方に庫内壁９が嵌め込まれた冷蔵庫前組箱体をウレタン発泡治具内に格納する。次いで、発泡治具を４５℃程度に保持しながら外壁３と庫内壁９の間の空間にポリオール液とイソシアネート液等、発泡ウレタンの原液をそれぞれ同時に注入する。これにより外壁３と庫内壁９の間の空間に発泡ウレタンが充填される。この後、発泡ウレタンが充填された冷蔵庫箱体を発泡治具から取り外す。本実施形態による潜熱蓄熱材７の流動性が増加する温度は７０〜８０℃以上なので、発泡ウレタンの注入工程中に潜熱蓄熱材７が周囲に流動することはない。
【００４７】
図３は比較例に係る冷蔵庫の棚受部１１ａ近傍を示している。図３（ａ）、（ｂ）は、比較例に係る棚受部１１ａ近傍を示している。図３（ａ）、（ｂ）共に図２（ａ）に示す棚受部１１ａ近傍の断面と同様の断面を示している。図３（ａ）、（ｂ）に示す比較例に係る棚受部１１ａ近傍において、本実施の形態に係る冷蔵庫１と同一の構成要素については同一の符号を付してその説明は省略する。
【００４８】
比較例に係る棚受部１１ａの根元部の領域αと断熱材５との間には潜熱蓄熱材７が配置されている。同様に他の棚受部１１ｂ、１１ｃ、１１ａ´、１１ｂ´、１１ｃ´の根元部の領域αと断熱材５との間にも潜熱蓄熱材７が配置されている。さらに、棚受部１１ａ内方にも支持部材３１ａとして潜熱蓄熱材７が充填されている。棚受部１１ａ内方に充填された潜熱蓄熱材７による支持部材３１ａは、図３（ａ）に示すように、冷蔵庫１の電源がオン状態で冷却装置が機能している場合には、棚受部１１ａの片持ち梁形状において棚２１を支持できる強度を有している。
【００４９】
しかしながら、図３（ｂ）に示すように、停電等で冷蔵庫１の電源がオフ状態で冷却装置が機能しなくなった後に潜熱蓄熱材７が液状になると支持部材３１ａは棚２１を支持できる強度を失う。このため棚２１に対する耐荷重が小さくなるので、棚２１の重量により棚受部１１ａの片持ち梁形状が下方に垂れる形状に変化してしまう。これにより、棚２１の支持が不安定になり、載置してある貯蔵物が移動してしまったり、落下したり、棚２１自体が外れて落下したりする。
【００５０】
これに対し、本実施形態の蓄熱容器は、箱型の外壁３と、外壁３の内方に嵌め込まれて固定された箱型の庫内壁９と、外壁３と庫内壁９との間の領域の庫内壁９側に配置され、所定の相転移温度で固相から液相へ可逆的に相転移する潜熱蓄熱材７と、庫内壁９内方であって貯蔵物を貯蔵する貯蔵室１０と、貯蔵室１０内で貯蔵物を載置する棚２１を支持するために庫内壁９の一部を貯蔵室１０内に突出させた棚受部１１と、外壁３と庫内壁９との間の領域の棚受部１１の庫内壁９側に配置され、液相に相転移した潜熱蓄熱材７より高い支持強度で棚２１を支持する支持部材１２とを有する。そして、支持部材１２には潜熱蓄熱材７ではなく断熱材５が配置されている。このため、潜熱蓄熱材７が液相になっても支持部材１２の支持強度は変化しない。よって、冷蔵庫１の電源のオン状態オフ状態に係わらず常時確実に棚２１を支持できる。本実施の形態によれば、潜熱蓄熱材を用いた蓄熱容器において、棚受部１１の棚２１を支持する強度を高くすることができる。
［第２の実施の形態］
【００５１】
次に、本発明の第２の実施の形態による蓄熱容器について図４を用いて説明する。第１の実施の形態による蓄熱容器と同一の機能及び作用を有する構成要素については、同一の符号を付してその説明を省略する。本実施の形態の蓄熱容器は図１に示したのと同様の直冷式の冷蔵庫１である。但し、外壁３と庫内壁９との間の領域の庫内壁９側に配置された潜熱蓄熱材７は、棚受部１１ａ、１１ｂ、１１ｃ、１１ａ´、１１ｂ´、１１ｃ´の根元部の領域αと断熱材５との間にも配置されている。従って、潜熱蓄熱材７は庫内壁９全域を囲むように配置されている。断熱材５は外壁３と庫内壁９との間の潜熱蓄熱材７以外の残余の領域に配置されている。本実施の形態では断熱材５として発泡ウレタンが用いられている。
【００５２】
図４は、冷蔵室１０上段の左側面部の棚受部１１ａの近傍の断面を拡大して示している。棚受部１１ａは図２に示す棚受部１１ａと同様の根元部の幅が広い片持ち梁状の断面形状を有して冷蔵室１０内に突出している。冷蔵室１０中段の左側面部の棚受部１１ｂ、右側面部の棚受部１１ｂ´の形状、構成も棚受部１１ａ、１１ａ´と同様なので説明は省略する。また、冷蔵室１０下段の左側面部の棚受部１１ｃ、右側面部の棚受部１１ｃ´の形状、構成も棚受部１１ａ、１１ａ´と同様なので説明は省略する。
【００５３】
棚受部１１ａの根元部の領域αと断熱材５との間には、潜熱蓄熱材７が配置されている。同様に他の棚受部１１ｂ、１１ｃ、１１ａ´、１１ｂ´、１１ｃ´の根元部と断熱材５との間にも潜熱蓄熱材７が配置されている。本実施形態の潜熱蓄熱材７は、ゲル化させたパラフィンを含んでいる。潜熱蓄熱材７の相転移温度は、４℃から６℃程度が望ましい。
【００５４】
棚受部１１ａの内方の支持部材１３ａとして熱硬化性樹脂が充填されている。棚受部１１ａの根元部の領域αと断熱材５との間に潜熱蓄熱材７が配置されているが、棚受部１１ａ内方の支持部材１３ａの熱硬化性樹脂は、棚受部１１ａの片持ち梁形状において棚２１を支持するのに十分な強度を有している。このため、本実施形態の支持部材１３ａは液相に相転移した潜熱蓄熱材７より高い支持強度で棚２１を支持することができる。
【００５５】
同様に他の棚受部１１ｂ、１１ｃ、１１ａ´、１１ｂ´、１１ｃ´の内方に充填された熱硬化性樹脂もそれぞれ支持部材１３ｂ、１３ｃ、１３ａ´、１３ｂ´、１３ｃ´として機能する。
【００５６】
本実施の形態においても、停電等により冷蔵庫１の不図示の電源がオフ状態になると、不図示の温度制御装置や冷却装置への電力供給が停止して、冷却装置による冷却能力は失われる。本実施の形態による冷蔵庫１は、停電等により冷却装置による冷却能力が失われると、潜熱蓄熱材７による保冷が開始される。冷蔵室１０内の空気は、庫内壁９の外側に貼り巡らされている潜熱蓄熱材７により一定期間、所定温度範囲に維持される。
【００５７】
また、本実施形態によれば、停電等により冷蔵庫１の電源がオフ状態になり潜熱蓄熱材７による保冷効果が得られる一方、潜熱蓄熱材７は徐々に液相へ相転移して硬度が低下する。しかしながら、棚受部１１の支持部材１３には周囲温度に支持強度が影響を受けない熱硬化性樹脂が用いられている。このため、冷蔵庫１の電源のオン状態オフ状態に係わらず確実に棚２１の支持を維持できる。
【００５８】
次に、発泡ウレタンの注入工程について簡単に説明する。まず、外壁３の内方に庫内壁９が嵌め込まれた冷蔵庫前組箱体をウレタン発泡治具内に格納する。次いで、発泡治具を４５℃程度に保持しながら外壁３と庫内壁９の間の空間にポリオール液とイソシアネート液等、発泡ウレタンの原液をそれぞれ同時に注入する。これにより外壁３と庫内壁９の間の空間に発泡ウレタンが充填される。この後、発泡ウレタンが充填された冷蔵庫箱体を発泡治具から取り外す。本実施形態による潜熱蓄熱材７の流動性が増加する温度は７０〜８０℃以上なので、発泡ウレタンの注入工程中に潜熱蓄熱材７が周囲に流動することはない。
【００５９】
棚受部１１の内方に充填した熱硬化性樹脂の熱硬化は、潜熱蓄熱材７を配置する前に予め行ってもよい。例えば、常温（例えば、２５℃）で比較的長時間かけて硬化する熱硬化性樹脂を用いてもよい。また、発泡ウレタン注入時の熱温度で硬化させるようにしてもよい。例えば、熱硬化性樹脂を塗布後、室温（例えば、２０℃）である程度硬化させ、潜熱蓄熱材７を庫内壁９外側及び棚受部１１の根元部に貼り付けた後、発泡ウレタンの注入工程の温度を利用して硬化を完成させるという手順を用いることも可能である。
【００６０】
次に本実施形態の変形例について説明する。本変形例では、棚受部１１ａの内方の支持部材１３ａとして熱硬化性樹脂に代えて光（ＵＶ）硬化性樹脂が充填されている。棚受部１１ａ内方の支持部材１３ａの光硬化性樹脂は、棚受部１１ａの片持ち梁形状において棚２１を支持するのに十分な撓み強度や曲げ強度等の機械的強度を有している。このため、本実施形態の支持部材１３ａは液相に相転移した潜熱蓄熱材７より高い支持強度で棚２１を支持することができる。同様に他の棚受部１１ｂ、１１ｃ、１１ａ´、１１ｂ´、１１ｃ´の内方に充填された光硬化性樹脂もそれぞれ支持部材１３ｂ、１３ｃ、１３ａ´、１３ｂ´、１３ｃ´として機能する。
【００６１】
本変形例においても、停電等により冷蔵庫１の電源がオフ状態になり潜熱蓄熱材７による保冷効果が得られる一方、潜熱蓄熱材７は徐々に液相へ相転移して硬度が低下する。しかしながら、棚受部１１の支持部材１３には周囲温度に支持強度が影響を受けない光硬化性樹脂が用いられている。このため、冷蔵庫１の電源のオン状態オフ状態に係わらず確実に棚２１の支持を維持できる。棚受部１１の内方に充填した光硬化性樹脂の光硬化は、潜熱蓄熱材７を配置する前にスポットＵＶ機を用いて予め行えばよい。
【００６２】
このように、本実施形態の蓄熱容器は、箱型の外壁３と、外壁３の内方に嵌め込まれて固定された箱型の庫内壁９と、外壁３と庫内壁９との間の領域の庫内壁９側に配置され、所定の相転移温度で固相から液相へ可逆的に相転移する潜熱蓄熱材７と、庫内壁９内方であって貯蔵物を貯蔵する貯蔵室１０と、貯蔵室１０内で貯蔵物を載置する棚２１を支持するために庫内壁９の一部を貯蔵室１０内に突出させた棚受部１１と、外壁３と庫内壁９との間の領域の棚受部１１の庫内壁９側に配置され、液相に相転移した潜熱蓄熱材７より高い支持強度で棚２１を支持する支持部材１３とを有する。そして、支持部材１３は、潜熱蓄熱材７ではなく熱または光で硬化する硬化性樹脂である。このため、潜熱蓄熱材７が液相になっても支持部材１２の支持強度は変化しない。よって、冷蔵庫１の電源のオン状態オフ状態に係わらず常時確実に棚２１を支持できる。本実施の形態によれば、潜熱蓄熱材を用いた蓄熱容器において、棚受部１１の棚２１を支持する強度を高くすることができる。
［第３の実施の形態］
【００６３】
次に、本発明の第３の実施の形態による蓄熱容器について図５を用いて説明する。第１の実施の形態による蓄熱容器と同一の機能及び作用を有する構成要素については、同一の符号を付してその説明を省略する。本実施の形態の蓄熱容器は図１に示したのと同様の直冷式の冷蔵庫１である。但し、外壁３と庫内壁９との間の領域の庫内壁９側に配置された潜熱蓄熱材７は、棚受部１１ａ、１１ｂ、１１ｃ、１１ａ´、１１ｂ´、１１ｃ´の根元部の領域αと断熱材５との間にも配置されている。従って、潜熱蓄熱材７は庫内壁９全域を囲むように配置されている。断熱材５は外壁３と庫内壁９との間の潜熱蓄熱材７以外の残余の領域に配置されている。本実施の形態では断熱材５として発泡ウレタンが用いられている。
【００６４】
図５は、冷蔵室１０上段の左側面部の棚受部１１ａの近傍の断面を拡大して示している。棚受部１１ａは図２に示す棚受部１１ａと同様の根元部の幅が広い片持ち梁状の断面形状を有して冷蔵室１０内に突出している。冷蔵室１０中段の左側面部の棚受部１１ｂ、右側面部の棚受部１１ｂ´の形状、構成も棚受部１１ａ、１１ａ´と同様なので説明は省略する。また、冷蔵室１０下段の左側面部の棚受部１１ｃ、右側面部の棚受部１１ｃ´の形状、構成も棚受部１１ａ、１１ａ´と同様なので説明は省略する。
【００６５】
棚受部１１ａの根元部の領域αと断熱材５との間には、潜熱蓄熱材７が配置されている。同様に他の棚受部１１ｂ、１１ｃ、１１ａ´、１１ｂ´、１１ｃ´の根元部と断熱材５との間にも潜熱蓄熱材７が配置されている。本実施形態の潜熱蓄熱材７は、ゲル化させたパラフィンを含んでいる。潜熱蓄熱材７の相転移温度は、４℃から６℃程度が望ましい。
【００６６】
棚受部１１ａの内方の支持部材１５ａとしてフィラーＦを混合した潜熱蓄熱材７が充填されている。フィラーＦは、例えば三次元形状（テトラポッド形状）を有し、含有させると機械的強度を高める作用を奏する。棚受部１１ａの根元部の領域αと断熱材５との間に潜熱蓄熱材７が配置されているが、棚受部１１ａ内方の支持部材１５ａのフィラーＦを混合した潜熱蓄熱材７は、棚受部１１ａの片持ち梁形状において棚２１を支持するのに十分な撓み強度や曲げ強度等の機械的強度を有している。このため、本実施形態の支持部材１５ａは液相に相転移した潜熱蓄熱材７より高い支持強度で棚２１を支持することができる。
【００６７】
同様に他の棚受部１１ｂ、１１ｃ、１１ａ´、１１ｂ´、１１ｃ´の内方に充填されたフィラーＦを混合した潜熱蓄熱材７もそれぞれ支持部材１５ｂ、１５ｃ、１５ａ´、１５ｂ´、１５ｃ´として機能する。
【００６８】
本実施の形態においても、停電等により冷蔵庫１の不図示の電源がオフ状態になると、不図示の温度制御装置や冷却装置への電力供給が停止して、冷却装置による冷却能力は失われる。本実施の形態による冷蔵庫１は、停電等により冷却装置による冷却能力が失われると、潜熱蓄熱材（フィラーＦを混合した潜熱蓄熱材を含む）７による保冷が開始される。冷蔵室１０内の空気は、庫内壁９の外側に貼り巡らされている潜熱蓄熱材７により一定期間、所定温度範囲に維持される。
【００６９】
また、本実施形態によれば、停電等により冷蔵庫１の電源がオフ状態になり潜熱蓄熱材７による保冷効果が得られる一方、潜熱蓄熱材７は徐々に液相へ相転移して硬度が低下する。同様に、棚受部１１の支持部材１５の潜熱蓄熱材７も液相へ相転移して硬度が低下するが、含有したフィラーＦにより撓み強度や曲げ強度等の機械的強度を低下させずに、冷蔵庫１の電源のオン状態オフ状態に係わらず確実に棚２１の支持を維持できる。
【００７０】
次に、発泡ウレタンの注入工程について簡単に説明する。まず、外壁３の内方に庫内壁９が嵌め込まれた冷蔵庫前組箱体をウレタン発泡治具内に格納する。次いで、発泡治具を４５℃程度に保持しながら外壁３と庫内壁９の間の空間にポリオール液とイソシアネート液等、発泡ウレタンの原液をそれぞれ同時に注入する。これにより外壁３と庫内壁９の間の空間に発泡ウレタンが充填される。この後、発泡ウレタンが充填された冷蔵庫箱体を発泡治具から取り外す。本実施形態による潜熱蓄熱材７の流動性が増加する温度は７０〜８０℃以上なので、発泡ウレタンの注入工程中に潜熱蓄熱材７が周囲に流動することはない。
【００７１】
本実施形態で用いたフィラーＦは潜熱蓄熱材に含有させるだけでなく、第１〜第２の実施の形態で説明した支持部材１２、１３に含有させて支持部材１２、１３の機械的強度を高くすることもできる。
【００７２】
また、支持部材１２、１３、１５にフィラーＦに代えて機械的強度を高める材料としてゴムや紙粘土等を含有させてもよい。
【００７３】
このように、本実施形態の蓄熱容器は、箱型の外壁３と、外壁３の内方に嵌め込まれて固定された箱型の庫内壁９と、外壁３と庫内壁９との間の領域の庫内壁９側に配置され、所定の相転移温度で固相から液相へ可逆的に相転移する潜熱蓄熱材７と、庫内壁９内方であって貯蔵物を貯蔵する貯蔵室１０と、貯蔵室１０内で貯蔵物を載置する棚２１を支持するために庫内壁９の一部を貯蔵室１０内に突出させた棚受部１１と、外壁３と庫内壁９との間の領域の棚受部１１の庫内壁９側に配置され、液相に相転移した潜熱蓄熱材７より高い支持強度で棚２１を支持する支持部材１５とを有する。そして、支持部材１５は、フィラーを含有させた潜熱蓄熱材７である。このため、潜熱蓄熱材７が液相になってもフィラーを含有させた潜熱蓄熱材７の支持部材１２の支持強度はあまり低下しない。よって、冷蔵庫１の電源のオン状態オフ状態に係わらず常時確実に棚２１を支持できる。本実施の形態によれば、潜熱蓄熱材を用いた蓄熱容器において、棚受部１１の棚２１を支持する強度を高くすることができる。
［第４の実施の形態］
【００７４】
次に、本発明の第４の実施の形態による蓄熱容器について図６を用いて説明する。第１の実施の形態による蓄熱容器と同一の機能及び作用を有する構成要素については、同一の符号を付してその説明を省略する。本実施の形態の蓄熱容器は図１に示したのと同様の直冷式の冷蔵庫１である。但し、外壁３と庫内壁９との間の領域の庫内壁９側に配置された潜熱蓄熱材７は、棚受部１１ａ、１１ｂ、１１ｃ、１１ａ´、１１ｂ´、１１ｃ´の根元部の領域αと断熱材５との間にも配置されている。さらに、潜熱蓄熱材７は領域αを超えて棚受部１１ａ、１１ｂ、１１ｃ、１１ａ´、１１ｂ´、１１ｃ´の先端側にも一部充填されている。潜熱蓄熱材７は庫内壁９全域を囲むように配置されている。断熱材５は外壁３と庫内壁９との間の潜熱蓄熱材７以外の残余の領域に配置されている。本実施の形態では断熱材５として発泡ウレタンが用いられている。
【００７５】
図６は、冷蔵室１０上段の左側面部の棚受部１１ａの近傍の断面を拡大して示している。棚受部１１ａは図２に示す棚受部１１ａと同様の根元部の幅が広い片持ち梁状の断面形状を有して冷蔵室１０内に突出している。冷蔵室１０中段の左側面部の棚受部１１ｂ、右側面部の棚受部１１ｂ´の形状、構成も棚受部１１ａ、１１ａ´と同様なので説明は省略する。また、冷蔵室１０下段の左側面部の棚受部１１ｃ、右側面部の棚受部１１ｃ´の形状、構成も棚受部１１ａ、１１ａ´と同様なので説明は省略する。
【００７６】
棚受部１１ａの根元部の領域αと断熱材５との間には、潜熱蓄熱材７が配置されている。さらに、潜熱蓄熱材７は領域αを超えて棚受部１１ａの先端側にも一部充填されている。棚受部１１ａの庫壁面９とそれに続く棚受部１１ａ上下の庫壁面９の一部領域には、第１〜第３の実施の形態で説明した支持部材１２ａ、１３ａ、１５ａの材料のいずれかと同じ材料を塗布した支持部材１７ａが形成されている。従って、本実施形態の棚受部１１ａは先端部から庫壁面９、支持部材１７ａ、潜熱蓄熱材７の３層構造になっている。他の棚受部１１ｂ、１１ｃ、１１ａ´、１１ｂ´、１１ｃ´も同様の３層構造を有している。
【００７７】
棚受部１１ａ内方の支持部材１７ａは、棚受部１１ａの片持ち梁形状において棚２１を支持するのに十分な撓み強度や曲げ強度等の機械的強度を有している。このため、本実施形態の支持部材１７ａは液相に相転移した潜熱蓄熱材７より高い支持強度で棚２１を支持することができる。
【００７８】
他の棚受部１１ｂ、１１ｃ、１１ａ´、１１ｂ´、１１ｃ´の支持部材１７ｂ、１７ｃ、１７ａ´、１７ｂ´、１７ｃ´も液相に相転移した潜熱蓄熱材７より高い支持強度で棚２１を支持することができる。
【００７９】
本実施の形態において、停電等により冷蔵庫１の電源がオフ状態になり潜熱蓄熱材７による保冷効果が得られる一方、潜熱蓄熱材７は徐々に液相へ相転移して硬度が低下する。棚受部１１の潜熱蓄熱材７も硬度が低下するが、支持部材１７により撓み強度や曲げ強度等の機械的強度を低下させずに、冷蔵庫１の電源のオン状態オフ状態に係わらず確実に棚２１の支持を維持できる。
［第５の実施の形態］
【００８０】
次に、本発明の第５の実施の形態による蓄熱容器について図７を用いて説明する。第１の実施の形態による蓄熱容器と同一の機能及び作用を有する構成要素については、同一の符号を付してその説明を省略する。本実施の形態の蓄熱容器は図１に示したのと同様の直冷式の冷蔵庫１である。
【００８１】
図７は、冷蔵室１０上段の左側面部の棚受部１１ａの近傍の断面を拡大して示している。棚受部１１ａは図２に示す棚受部１１ａと同様の根元部の幅が広い片持ち梁状の断面形状を有して冷蔵室１０内に突出している。冷蔵室１０中段の左側面部の棚受部１１ｂ、右側面部の棚受部１１ｂ´の形状、構成も棚受部１１ａ、１１ａ´と同様なので説明は省略する。また、冷蔵室１０下段の左側面部の棚受部１１ｃ、右側面部の棚受部１１ｃ´の形状、構成も棚受部１１ａ、１１ａ´と同様なので説明は省略する。
【００８２】
棚受部１１ａの根元部の領域αから先端部までの棚受部１１ａ内方全領域、及び棚受部１１ａの根元部の領域αを含んで上下に延びる庫壁面９の外側の一部領域には、それら領域を覆う形状に一体成型された樹脂材１８が支持部材１８ａとして嵌め込まれている。樹脂材１８としては、第１〜第３の実施の形態で説明した支持部材１２ａ、１３ａ、１５ａの材料のいずれかと同じ材料を用いてもよい。断熱材５と支持部材１８ａとの間の領域には潜熱蓄熱材７が配置されている。潜熱蓄熱材７は庫内壁９全域を囲むように配置されている。断熱材５は外壁３と庫内壁９との間の潜熱蓄熱材７以外の残余の領域に配置されている。本実施の形態では断熱材５として発泡ウレタンが用いられている。
【００８３】
棚受部１１ａ内方及び棚受部１１ａ周囲に一体的に配置された支持部材１８ａは、棚受部１１ａの片持ち梁形状において棚２１を支持するのに十分な撓み強度や曲げ強度等の機械的強度を有している。このため、本実施形態の支持部材１８ａは液相に相転移した潜熱蓄熱材７より高い支持強度で棚２１を支持することができる。
【００８４】
他の棚受部１１ｂ、１１ｃ、１１ａ´、１１ｂ´、１１ｃ´においても、棚受部１１ａ内方及び棚受部１１ａ周囲に一体的に配置された支持部材１８ａと同様の支持部材１８ｂ、１８ｃ、１８ａ´、１８ｂ´、１８ｃ´が配置されている。
【００８５】
本実施の形態において、停電等により冷蔵庫１の電源がオフ状態になり潜熱蓄熱材７による保冷効果が得られる一方、潜熱蓄熱材７は徐々に液相へ相転移して硬度が低下する。棚受部１１の潜熱蓄熱材７も硬度が低下するが、支持部材１８ａ等により撓み強度や曲げ強度等の機械的強度を低下させずに、冷蔵庫１の電源のオン状態オフ状態に係わらず確実に棚２１の支持を維持できる。
［第６の実施の形態］
【００８６】
次に、本発明の第６の実施の形態による蓄熱容器について図８を用いて説明する。第１の実施の形態による蓄熱容器と同一の機能及び作用を有する構成要素については、同一の符号を付してその説明を省略する。本実施の形態の蓄熱容器は図１に示したのと同様の直冷式の冷蔵庫１である。但し、外壁３と庫内壁９との間の領域の庫内壁９側に配置された潜熱蓄熱材７は、棚受部１１ａ、１１ｂ、１１ｃ、１１ａ´、１１ｂ´、１１ｃ´の根元部の領域にも配置されている。従って、潜熱蓄熱材７は庫内壁９全域を囲むように配置されている。断熱材５は外壁３と庫内壁９との間の潜熱蓄熱材７以外の残余の領域に配置されている。本実施の形態では断熱材５として発泡ウレタンが用いられている。
【００８７】
冷蔵室１０上段の左側面部の棚受部１１ａの近傍の断面は第３の実施の形態の図５に示すものと同一である。冷蔵室１０の上段の棚受部１１ａ、１１ａ´の内方の支持部材１５ａ、１５ａ´にはフィラーＦを相対的に高密度に混合した潜熱蓄熱材７が充填されている。冷蔵室１０の上段の棚受部１１ｂ、１１ｂ´の内方の支持部材１５ｂ、１５ｂ´にはフィラーＦを相対的に中密度に混合した潜熱蓄熱材７が充填されている。冷蔵室１０の下段の棚受部１１ｃ、１１ｃ´の内方の支持部材１５ｃ、１５ｃ´にはフィラーＦを相対的に低密度に混合した潜熱蓄熱材７が充填されている。
【００８８】
冷蔵庫１の電源がオフ状態になって、冷蔵室１０内の温度が上昇した際、一般に庫内の上部の方が下部よりも温度が高くなる。このため、冷蔵室１０内の上方の棚受部１１の支持部材１５内の潜熱蓄熱材７の方が軟らかくなり易く棚２１への耐荷重がより低下すると考えられる。そこで、庫内の上部にある棚受部１１の支持部材１５内のフィラーの含有量を増やして耐荷重が大きくなるような構成にしている。つまり、貯蔵室１０の上側に設けられた支持部材１５の支持強度は、貯蔵室１０の下側に設けられた支持部材１５の支持強度より高いことを特徴とする。上方の棚２１が落下する方が相対的に下方の棚２１が落下するより被害が甚大となるので、上段の棚受部１１の強度を強くすることに意義がある。
【００８９】
冷蔵室１０の上段に行くほど棚受部１１の機械的強度を高くするには、支持部材１５内のフィラーの含有量を増やす他に以下の方法も用いることができる。例えば、支持部材１２、１３、１７、１８のいずれかを用いる場合は、冷蔵室１０の上下段で支持部材の形成材料は変えずに、棚受部１１の断面形状を上段に行くほど大きくするようにしてもよい。
【００９０】
本発明は、上記実施の形態に限らず種々の変形が可能である。
例えば、上記実施の形態では蓄熱容器として直冷式の冷蔵庫を用いて説明したが本発明はこれに限らず、ファン式の冷蔵庫にももちろん適用可能である。
【００９１】
また例えば、上記実施の形態では蓄熱容器として冷蔵庫を用いて説明したが本発明はこれに限らず、相転移温度が例えば数十℃の潜熱蓄熱材を用いた温蔵庫にももちろん適用可能である。
【００９２】
なお、上記詳細な説明で説明した事項、特に実施例および変形例等で説明した事項は組み合わせることが可能である。
【符号の説明】
【００９３】
１  冷蔵庫
３  外壁
５  断熱材
７  潜熱蓄熱材
９  庫内壁
１０  冷蔵室
１１ａ、１１ｂ、１１ｃ、１１ａ´、１１ｂ´、１１ｃ´  棚受部
１２ａ、１２ｂ、１２ｃ、１２ａ´、１２ｂ´、１２ｃ´  支持部材（断熱材）
１３ａ  支持部材（熱または光硬化性樹脂）
１５ａ、１５ｂ、１５ｃ、１５ａ´、１５ｂ´、１５ｃ´  支持部材（フィラー含有潜熱蓄熱材）
１７ａ  支持部材（塗布部材）
１８ａ  支持部材（樹脂材）
１９  冷却器
２１  棚
３１ａ  支持部材（潜熱蓄熱材）
【図１】
2012229867.tif 000003
【図２】
2012229867.tif 000004
【図３】
2012229867.tif 000005
【図４】
2012229867.tif 000006
【図５】
2012229867.tif 000007
【図６】
2012229867.tif 000008
【図７】
2012229867.tif 000009
【図８】
2012229867.tif 000010